(57)【特許請求の範囲】
【請求項１】
開口枠（１）に固定されるガイド枠（６）と、一端が窓（２）で揺動自在に支持される牽制アーム（５）とを備えており、
牽制アーム（５）の揺動先端に設けたスライドピン（１３）が、ガイド枠（６）に設けられて上下方向に走るガイド溝（１２）で往復スライド自在に係合案内される窓換気用のステーであって、
ガイド枠（６）には、窓（２）を閉じた状態においてスライドピン（１３）の出入りを許す出入口（１４）が、ガイド溝（１２）の下端側である閉じ端側に連続して開口されており、
ガイド枠（６）で往復スライド自在に案内支持されて出入口（１４）を開閉するシャッター（７）と、シャッター（７）をスライド操作するノブ（９）とがガイド枠（６）に設けられており、
ノブ（９）をスライド操作して、シャッター（７）に設けた蓋壁（１５）が出入口（１４）を開放する状態となった場合にのみ、スライドピン（１３）が出入口（１４）を内外に出入りできる窓換気用のステー。
【請求項２】
シャッター（７）のスライド領域に面して、シャッター（７）のスライド開放を阻止するシャッターロック（３０）が設けられており、
シャッターロック（３０）は、シャッター（７）を受け止めるロック姿勢と、シャッターの開放スライドを許すロック解除姿勢とに姿勢変更できるように設けられて、常態においてロック解除姿勢に保持されており、
換気開放状態において、スライドピン（１３）がシャッターロック（３０）に外接して、シャッターロック（３０）をロック姿勢に姿勢保持するよう構成してある請求項１記載の窓換気用のステー。
【請求項３】
シャッター（７）に、ガイド枠（６）と係合してシャッター（７）の往復スライドを阻止する第２ロック（４５）が設けられており、
第２ロック（４５）は、ガイド枠（６）に係合するロック姿勢と、ガイド枠（６）との係合を解除するロック解除姿勢とに変位できるようシャッター（７）で支持されて、ばね（４８）でロック姿勢に変位付勢されており、
第２ロック（４５）は、シャッター（７）の蓋壁（１５）が出入口（１４）を開放する位置と、出入口（１４）を閉止する位置との各位置において、ガイド枠（６）と係合してシャッター（７）のスライド変位を阻止しており、
ガイド溝（１２）と係合するスライドピン（１３）が、出入口（１４）に臨む窓閉じ状態においてのみ、第２ロック（４５）がスライドピン（１３）でばね（４８）の付勢力に抗してロック解除操作されるように構成してあることを特徴とする請求項１記載の窓換気用のステー。
【請求項４】
窓（２）に装着したベース（３）に、牽制アーム（５）を軸支するアームピン（４）が固定されており、
牽制アーム（５）はアームピン（４）に対して傾動可能に連結されて、両者（４・５）間に配置したばね（２１）でベース（３）と接当する向き、および閉じ姿勢へ復帰する向きに移動付勢してある請求項１、２または３記載の窓換気用のステー。
【請求項５】
ガイド溝（１２）の上端側である換気端側の近傍に、弾性変形可能な係合爪（２３）を備えたロック体（８）が設けられており、
窓（２）を換気位置へ開放した状態において、スライドピン（１３）がロック体（８）で係合捕捉される請求項１、２、３または４記載の窓換気用のステー。
【請求項６】
ガイド枠（６）とシャッター（７）との間に相対係合してシャッター（７）の開放スライドを阻止する錠（３５）が設けられており、
錠（３５）は、シャッター（７）の蓋壁（１５）が出入口（１４）を閉じた状態においてのみ、着脱自在な鍵（３９）で鎖錠状態と解錠状態とに切り換え可能に設けてある請求項１、２、３、４または５記載の窓換気用のステー。
【請求項７】
ガイド枠（６）とシャッター（７）との間に相対係合してシャッター（７）の開放スライドを阻止する錠（３５）が設けられており、
錠（３５）は、シャッター（７）の蓋壁（１５）が出入口（１４）を開放する位置と、蓋壁（１５）が出入口（１４）を閉じる位置の各位置において、着脱自在な鍵（３９）で鎖錠状態と解錠状態とに切り換え可能に設けてある請求項１、２、３、４または５記載の窓換気用のステー。
【請求項８】
シャッターロック（３０）がロック体（８）と一体に形成してある請求項５記載の窓換気用のステー。
【請求項９】
牽制アーム（５）の揺動先端に、ノブ（９）と接当係合して、開放操作されたシャッター（７）を閉じ位置へ復帰スライド操作する爪片（５２）が設けられており、
換気開放時に開放操作されたシャッター（７）を、窓（２）の閉じ操作に連動して、爪片（５２）でノブ（９）を介して閉じ位置へ復帰スライド操作することを特徴とする請求項１、４または５記載の窓換気用のステー。
【請求項１０】
スライドピン（１３）の移行軌跡に面したシャッター（７）の内面に受動片（５４）が配置されており、
受動片（５４）はスライドピン（１３）の移行軌跡を横切る受動位置と、スライドピン（１３）の移行軌跡の外へ退壁する待機位置との間を往復変位できるようシャッター（７）で案内支持されており、
ガイド枠（６）と受動片（５４）との間に、シャッター（７）の開放スライド変位に連動して、受動片（５４）を受動位置へ変位操作する、可逆性を備えた切換機構（５７）が設けてあり、
換気開放時に開放操作されたシャッター（７）を、窓（２）の閉じ操作に連動して、スライドピン（１３）で受動片（５４）を介して閉じ位置へ復帰スライド操作することができるようになっており、
切換機構（５７）が、スライドピン（１３）の移行方向に沿ってガイド枠（６）に設けた切換溝（５８）と、受動片（５４）に装着されて切換溝（５８）で変位操作される切換ピン（５９）とで構成されており、
受動片（５４）がばね（５６）で待機位置へ向かって移動付勢してある請求項１、４または５記載の窓換気用のステー。
【請求項１１】
牽制アーム（５）の移行軌跡に面したシャッター（７）の内面に、牽制アーム（５）ないしスライドピン（１３）と接当する受動片（６１）が設けられており、
換気開放時に開放操作されたシャッター（７）を、窓（２）の閉じ操作に連動してスライド変位する牽制アーム（５）で受動片（６１）を介して閉じ位置へ復帰スライド操作することを特徴とする請求項１、４または５記載の窓換気用のステー。
【請求項１２】
受動片（６１）がシャッター（７）の下端寄りに設けられており、窓（２）を閉じ操作するときの牽制アーム（５）のストローク端寄りにおいて、受動片（６１）が牽制アーム（５）で閉じ位置側へ復帰スライド操作される請求項１０記載の窓換気用のステー。
【請求項１３】
シャッター（７）の蓋壁（１５）の内面に、スランドピン（１３）で復帰スライド操作される受動片（６１）が蓋壁（１５）と一体に設けられており、
出入口（１４）と対向するガイド溝（１２）の溝内縁に、スライドピン（１３）を受け入れる凹部（６５）が設けてある請求項１１または１２記載の窓換気用のステー。  
【発明の詳細な説明】
【０００１】
【発明の属する技術分野】
本発明は、開口枠に軸支した牽制アームで窓を換気位置において開き規制でき、必要時には牽制アームによる開放規制作用を解除して、窓を閉じ状態から全開位置へ直接開き操作できる窓換気用のステーに関する。
【０００２】
【従来の技術】
この種のステーは実公昭５５−１４７００号公報に公知である。そこでは、窓側に牽制アームの上端を軸支し、牽制アームの下端に設けたスライドピンを、開口枠に設けたガイド枠で上下スライド自在に案内支持している。ガイド枠の内部には、ばねで揺動付勢されたロックレバーが設けてあり、窓を閉じ位置から換気位置まで開き操作すると、ロックレバーがスライドピンの頭部を自動的に係合捕捉して、窓を開閉不能にロック保持する。このロックレバーをロック解除操作するために、ガイド枠に解除つまみが設けてある。解除つまみを横スライド操作して、ロックレバーをロック解除した後、スライドピンをさらに上方スライドさせると、ピン頭部をガイド枠から抜き出して窓を全開放できる。
【０００３】
【発明が解決しようとする課題】
上記のステーは、窓を閉じ位置から換気位置まで単に開き操作するだけで、牽制アームをロックレバーでスライド不能にロック保持できる。窓を全開放操作する場合には、ロックレバーをロック解除操作してスライドピンを上方スライドさせたうえで、ピン頭部をガイド溝から抜き出す。つまり、換気位置を越えて窓を開放操作することによって、牽制アームのスライドピンをガイド枠から抜き出せるようにしている。こうしたステーにおいては、換気開放位置においてロックレバーをロック解除操作できるので、子供がいたずらでロックレバーを操作するとき、窓が開き方向へ動くのを避けられず、最悪の場合には、転落等の事故を招くおそれがある。
【０００４】
全開放操作した窓を閉じる場合には、換気位置の近傍で牽制アームのスライドピンをガイド枠に係合連結しなければならないので、安全性に問題がある。また牽制アームの動きが垂直平面内での姿勢変化に限られるので、たとえば一般に多用される揺動窓に適用するのが難しい。
【０００５】
本発明の目的は、窓が換気位置を越えて不用意に開放されるのを規制して、幼児などの転落を確実に防止できるうえ、必要時にはノブを切り換え操作するだけで、牽制アームによる開放規制作用を解除して、窓を容易に全開放操作できる窓換気用ステーを提供することにある。本発明の他の目的は、窓を全閉操作した状態でのみ牽制アームとガイド枠との連繋状態を解放し、あるいは解放不能に切り換え操作できる窓換気用ステーを提供することにある。本発明の更に他の目的は、シャッターの開放スライドを阻止する錠を備えていて、この錠を解錠しない限りは、窓を全開放操作できない窓換気用ステーを提供することにある。
【０００６】
本発明の目的は、窓を全開放する状態において、シャッターのスライド変位を阻止する錠を備えていて、全開放時にシャッターがいたずら等によって閉じスライド操作されるのを阻止でき、以て全開放した窓を閉じる際に、牽制アームが蓋壁に衝突して破損するのを解消できる窓換気用ステーを提供することにある。本発明の他の目的は、蓋壁が出入口を開放する位置と閉止する位置との各位置においてシャッターのスライドを阻止できる錠を備えていて、いたずら等によってシャッターがスライド操作されるのを阻止できる窓換気用のステーを提供することにある。
【０００７】
本発明の他の目的は、窓が換気位置に開放されている状態において、いたずら等によってシャッターが出入口を開放する側へ操作された場合であっても、単に窓を閉じ操作するだけで、シャッターを元の閉じ位置へ強制的に戻すことができ、従って外部からの不正な窓開放や、いたずらによる幼児の転落等を確実に防止できる窓換気用のステーを提供することにある。本発明の他の目的は、牽制アームの動きを利用して、開放操作されたシャッターを閉じ位置へ戻すことができる、構造が簡単で製造コストが少なくて済む窓換気用のステーを提供することにある。
【０００８】
【課題を解決するための手段】
本発明の窓換気用のステーは、開口枠１に固定されるガイド枠６と、一端が窓２で揺動自在に支持される牽制アーム５とを備えている。牽制アーム５の揺動先端に設けたスライドピン１３は、ガイド枠６に設けられて上下方向に走るガイド溝１２で往復スライド自在に係合案内する。ガイド枠６には、窓２を閉じた状態においてスライドピン１３の出入りを許すための出入口１４が、ガイド溝１２の下端側である閉じ端側に連続して開口してある。ガイド枠６で往復スライド自在に案内支持されて出入口１４を開閉するシャッター７と、シャッター７をスライド操作するノブ９とがガイド枠６に設けられている。以て、ノブ９をスライド操作して、シャッター７に設けた蓋壁１５が出入口１４を開放する状態となった場合にのみ、スライドピン１３が出入口１４を内外に出入りできるようにする。
【０００９】
具体的には、シャッター７のスライド領域に面して、シャッター７のスライド開放を阻止するシャッターロック３０を設ける。シャッターロック３０は、シャッター７を受け止めるロック姿勢と、シャッターの開放スライドを許すロック解除姿勢とに姿勢変更できるように設けられて、常態においてロック解除姿勢に保持される。換気開放状態において、スライドピン１３がシャッターロック３０に外接して、シャッターロック３０をロック姿勢に姿勢保持するよう構成する。
【００１０】
シャッター７に、ガイド枠６と係合してシャッター７の往復スライドを阻止する第２ロック４５を設ける。第２ロック４５は、ガイド枠６に係合するロック姿勢と、ガイド枠６との係合を解除するロック解除姿勢とに変位できるようシャッター７で支持し、ばね４８でロック姿勢に変位付勢する。第２ロック４５は、シャッター７の蓋壁１５が出入口１４を開放する位置と、出入口１４を閉止する位置との各位置において、ガイド枠６と係合してシャッター７のスライド変位を阻止する。以て、ガイド溝１２と係合するスライドピン１３が、出入口１４に臨む窓閉じ状態においてのみ、第２ロック４５がスライドピン１３でばね４８の付勢力に抗してロック解除操作されるように構成する。
【００１１】
窓２に装着したベース３に、牽制アーム５を軸支するアームピン４を固定する。牽制アーム５はアームピン４に対して傾動可能に連結する。さらに、両者４・５間に配置したばね２１でベース３と接当する向き、および閉じ姿勢へ復帰する向きに移動付勢する。
【００１２】
ガイド溝１２の上端側である換気端側の近傍に、弾性変形可能な係合爪２３を備えたロック体８を設ける。以て、窓２を換気位置へ開放した状態において、スライドピン１３をロック体８で係合捕捉する。
【００１３】
ガイド枠６とシャッター７との間に相対係合してシャッター７の開放スライドを阻止する錠３５を設ける。錠３５は、シャッター７の蓋壁１５が出入口１４を閉じた状態においてのみ、着脱自在な鍵３９で鎖錠状態と解錠状態とに切り換え可能に設ける。
【００１４】
ガイド枠６とシャッター７との間に相対係合してシャッター７の開放スライドを阻止する錠３５を設ける。錠３５は、シャッター７の蓋壁１５が出入口１４を開放する位置と、蓋壁１５が出入口１４を閉じる位置の各位置において、着脱自在な鍵３９で鎖錠状態と解錠状態とに切り換え可能に設ける。シャッターロック３０はロック体８と一体に形成する。
【００１５】
牽制アーム５の揺動先端に、ノブ９と接当係合して、開放操作されたシャッター７を閉じ位置へ復帰スライド操作するための爪片５２を設ける。以て、換気開放時に開放操作されたシャッター７を、窓２の閉じ操作に連動して、爪片５２でノブ９を介して閉じ位置へ復帰スライド操作する。
【００１６】
スライドピン１３の移行軌跡に面したシャッター７の内面に受動片５４を配置する。受動片５４はスライドピン１３の移行軌跡を横切る受動位置と、スライドピン１３の移行軌跡の外へ退壁する待機位置との間を往復変位できるようシャッター７で案内支持する。ガイド枠６と受動片５４との間に、シャッター７の開放スライド変位に連動して、受動片５４を受動位置へ変位操作する、可逆性を備えた切換機構５７を設ける。以て、換気開放時に開放操作されたシャッター７を、窓２の閉じ操作に連動して、スライドピン１３で受動片５４を介して閉じ位置へ復帰スライド操作する。
【００１７】
切換機構５７は、スライドピン１３の移行方向に沿ってガイド枠６に設けた切換溝５８と、受動片５４に装着されて切換溝５８で変位操作される切換ピン５９とで構成する。受動片５４はばね５６で待機位置へ向かって移動付勢する。
【００１８】
牽制アーム５の移行軌跡に面したシャッター７の内面に、牽制アーム５ないしスライドピン１３と接当する受動片６１を設ける。換気開放時に開放操作されたシャッター７を、窓２の閉じ操作に連動してスライド変位する牽制アーム５で受動片６１を介して閉じ位置へ復帰スライド操作する。
【００１９】
上記の受動片６１はシャッター７の下端寄りに設ける。これにより、窓２を閉じ操作するときの牽制アーム５のストローク端寄りにおいて、受動片６１が牽制アーム５で閉じ位置側へ復帰スライド操作されるようにする。
【００２０】
シャッター７の蓋壁１５の内面に、スランドピン１３で復帰スライド操作される受動片６１を蓋壁１５と一体に設ける。出入口１４と対向するガイド溝１２の溝内縁に、スライドピン１３を受け入れる凹部６５を設ける。以て、窓２を閉じた状態におけるスライドピン１３と受動片６１との係合量が、同行スライド時の両者１３・６１の係合量より小さくなるように設定する。
【００２１】
【作用および発明の効果】
窓２を閉じた状態において、牽制アーム５に設けたスライドピン１３は、ガイド溝１２の閉じ端に位置して出入口１４に臨んでいる。このとき、シャッター７の蓋壁１５が出入口１４を閉じているか開放しているかの違いによって、窓２を開放操作するときの牽制アーム５の挙動に差を生じる。出入口１４が開放されている場合には、スライドピン１３は窓２および牽制アーム５に同行してガイド枠６の外へ出る。従って、窓２を全開放操作できる。出入口１４が蓋壁１５で閉じてある場合には、スライドピン１３が蓋壁１５で受け止められるので、窓２を開放操作すると、スライドピン１３はガイド溝１２に沿ってスライド変位し、その溝端において受け止められる。従って、窓２は牽制アーム５で換気開放位置に保持される。
【００２２】
上記のように本発明では、窓２を換気開放した状態において、シャッター７がいたずらで切り換え操作されたとしても、それ以上は窓２を開放操作できないので、いたずらによる幼児の転落事故を未然に防止できる。シャッター７をスライド操作して出入口１４を開閉するだけで、窓２を全開放操作し、あるいは換気開放できるので、従来この種のステーに比べて窓２の開放量を変更する際の手間を省くことができる。
【００２３】
シャッターロック３０は、ロック姿勢とロック解除姿勢とに変更できるように設けられて、常態（自由状態）においては、ロック解除姿勢に保持されている。しかし、窓２を換気位置へ開放するのに従って、スライドピン１３がガイド溝１２の換気端へスライドすると、スライドピン１３はそれまでロック解除姿勢を保持していたシャッターロック３０に外接して、シャッターロック３０をロック姿勢に切り換える。そのため、換気開放状態においては、シャッター７をスライド操作して出入口１４を開放することはできない。つまり、換気開放した窓２を一旦全閉しない限りはシャッター７をスライド開放できないので、窓２が突風にあおられていきなり全開放されるのを確実に防止し、その分だけ安全性を向上できる。スライドピン１３のスライド変位を利用して、シャッターロック姿勢に切り換えるので、例えばシャッターロック３０用の姿勢切り換え機構を別途設ける必要がなく、その分だけこの種のステー構造を簡素化できるうえ、姿勢切り換えのための手間を省いて、シャッターロック３０の姿勢切り換えを確実に行うことができる。
【００２４】
シャッター７に第２ロック４５を設けたステーにおいては、蓋壁１５が出入口１４を開放し、あるいは閉止する各位置において、第２ロック４５がガイド枠６と係合してシャッター７のスライド変位を阻止している。しかし、スライドピン１３が換気開放位置の側から出入口１４に臨む位置へ変位すると、第２ロック４５がスライドピン１３でロック解除操作されて、ガイド枠６との係合を解消する。従って、この場合にも、換気開放した窓２を一旦全閉しない限りはシャッター７をスライド開放できない。シャッター７をスライド開放した後には窓２を全開放できる。この全開放状態において、いたずら等によってシャッター７が閉止スライド操作されると、窓２を閉じ操作する際にスライドピン１３が蓋壁１５に衝突し損傷する。こうした事態を避けるために、シャッター７をスライド開放した位置においても、第２ロック４５がガイド枠６と係合できるようにしている。
【００２５】
ガイド枠６とシャッター７との間に、シャッター７の開放スライドを阻止する錠３５を設けたステーによれば、錠３５を施錠しておくことにより、いたずらによってシャッター７がスライド開放される余地を皆無にできる。とくに、蓋壁１５が出入口１４を開放し、あるいは閉じる位置の各位置において、錠３５を施錠し、シャッター７のスライド切り換えを阻止するステーによれば、換気開放時はもちろん、全開放時にもシャッター７がいたずら操作されるのを防止できる。先のシャッターロック３０や第２ロック４５と錠３５とを併用することにより、いたずら等による転落事故や誤操作による事故の発生を多重に阻止することができる。
【００２６】
シャッターロック３０をロック体８と一体に形成すると、ステーの構成部品点数が増えるのを避けて、その分だけステーの製造コストを減少できる。牽制アーム５をアームピン４に対して傾動可能に連結しておくことにより、窓２が開放揺動するときの、窓２の揺動端面と、ガイド枠６の取付面との面の傾きを牽制アーム５で吸収できるので、一端がヒンジで支持してある揺動窓であっても、本発明のステーを支障なく適用できる。
【００２７】
ガイド枠６にロック体８を設けたステーにおいては、窓２を閉じ位置から換気位置へ開放する際に、スライドピン１３が係合爪２３で係合捕捉される。従って、一定の強度以下の風であれば、窓２を換気位置に位置保持して、僅かな風で窓２が閉じ位置に戻されるのを阻止できる。
【００２８】
換気開放状態の窓２を閉じ操作すると、牽制アーム５がガイド溝１２に沿って閉じ端側へ移行する。この動作を利用して、牽制アーム５に設けた爪片５２をノブ９に接当係合させ、いたずら等によって開放操作されたシャッター７を、強制的に閉じ位置へ復帰スライド操作すると、窓２を全閉した状態において、出入口１４を確実に蓋壁１５で閉止できる。つまり、シャッター７が開放された状態のままで窓２が全閉操作されるのを阻止できるので、換気開放時にシャッター７が外部から不正に開放されたとしても、窓２が全開放状態へ開くのを防止し、防犯機能を強化できる。いたずら等による転落事故も防止できる。牽制アーム５に設けた爪片５２でノブ９を操作し、シャッター７を復帰スライド操作するので、新たな部品を付加する必要もなくシャッター７を窓２の閉じ動作に連動して閉じ位置へ復帰操作でき、新たな機能が付加された窓換気用のステーであるにもかかわらず、その製造コストを減らすことができる。
【００２９】
シャッター７に受動片５４を配置し、シャッター７が開放された状態において、受動片５４を切換機構５７でスライドピン１３の移行軌跡内へ突出させるようにした窓換気用ステーにおいても、上記のステーと同様に、単に窓２を閉じ操作するだけで、シャッター７をスライドピン１３で強制的に閉じ位置へ復帰スライドさせることができ、外部からの不正開放やいたずら等による転落事故を防止できる。可逆性を備えた切換機構５７で受動片５４を待機位置と受動位置とに変位操作して、シャッター７が開放操作された状態において、受動片５４がスライドピン１３の移行軌跡を確実に横切るようにするので、常に確実にシャッター７を復帰スライド操作でき、例えば、長期使用時の部品の摩耗等によってスライドピン１３の移行軌跡がばらつくような状況下でも、支障なくシャッター７を閉じ位置へ戻すことができる。
【００３０】
ガイド枠６に設けた切換溝５８と、この溝５８で案内される切換ピン５９とで構成した切換機構５７によれば、その構成部品数を減らして、開放操作されたシャッター７のリセット機能を備えている窓換気用ステーの製造コストを減らすことができる。
【００３１】
シャッター７の内部に設けた受動片６１を、牽制アーム５のスライド動作を利用して同行スライド操作する窓換気用のステーも、先のステーと同様に窓２を単に閉じ操作するだけで、開放位置にあるシャッター７を強制的に復帰スライドしてリセットできる。従って、シャッター７が外部から不正開放され、あるいはいたずらによって開放位置に切り換えられるような場合であっても、窓２を閉じることでシャッター７を閉じ位置へ戻して、窓２が全開放操作されるのを確実に防止できる。
【００３２】
窓２を閉じ操作するときの、牽制アーム５のストローク端寄りにおいて受動片６１を牽制アーム５で復帰スライド操作するのは、窓２が閉じ切る間際にシャッター７を復帰スライドさせて、外部からの不正開放を不可能とし、何等かの器具を用いた不正開放操作をも排除して、防犯効果を強化し向上するためである。
【００３３】
受動片６１を蓋壁１５と一体に設け、これをスライドピン１３で復帰スライド操作するステーによれば、受動片５４を受動位置と待機位置とに切り換える形態のステーに比べて、部品数を減少してコストを削減できるうえ、可動部品数が少ない分だけステーの故障を防止し、信頼性を向上できる。出入口１４と対抗するガイド溝１２の溝内縁に、スライドピン１３を受け入れる凹部６５を設けるのは、窓２を全開放するためにシャッター７を開放スライドするときに、受動片６１でスライドピン１３を凹部６５の側へ押し除けて、シャッター７の開放操作を支障なく行うためである。
【００３４】
【実施例】
（実施例１）
図２において、符号１は開口枠、２は窓である。開口枠１および窓枠２は、それぞれプラスチック条材やアルミニウム条材を角枠状に組んで形成してある。窓２はその一端が開口枠１に固定したヒンジで支持されていて、垂直のヒンジ中心の回りに揺動開閉できる。窓２を閉じた状態においては、図示していない錠やラッチで窓２を閉じ位置に固定できる。換気位置において窓２を開放状態のままで保持するために、開口枠１と窓２の揺動先端側の窓縦枠との間に本発明のステーを配置する。
【００３５】
図１においてステーは、窓２にビス止め装着されるベース３と、ベース３に固定したアームピン４で内外方向へ揺動自在に軸支される牽制アーム５と、開口枠１に固定されるガイド枠６と、ガイド枠６内に組み付けられるシャッター７およびロック体８と、ガイド枠６外にあってシャッター７をスライド操作するノブ９などで構成する。
【００３６】
図３に示すように、ガイド枠６は、取付面の側が開口する、上下に長い断面コ字状のプレス成形された枠体からなり、その上下に取付脚片１１が一体に設けてある。ガイド枠６の主面壁には、上下に長いガイド溝１２を開口し、これで牽制アーム５の揺動先端に固定したスライドピン１３を上下スライド自在に係合案内する。ガイド溝１２の下端（閉じ端）において、ガイド枠６の主面壁から屋外側の面壁にわたって出入口１４を開口し、これをガイド溝１２に連続させている。
【００３７】
上記の出入口１４を開閉して窓２を全開放し、あるいは換気開放するためにシャッター７を設ける。シャッター７はガイド枠６の両側壁に沿ってスライドする一対の前後壁と、両壁を繋ぐ底壁とを有するコ字枠状のプラスチック成形品からなり、屋外側の後壁を蓋壁１５にして、これで出入口１４を開閉する。屋内側の前壁に挿通した２個のピン１６を介して、ノブ９をシャッター７に連結固定する（図６参照）。そのために、ガイド枠６の屋内側の面壁に、ピン１６の上下スライドを許すピン溝１７が通設される。蓋壁１５の上端に連続して蓋壁１５と同じ幅の腕１８を突設し、突端の屋外側の側面にスライド突起１９を設ける。このスライド突起１９をスライド案内するために、ガイド枠６の屋外側の面壁にスライド溝２０が通設してある。ノブ９はプラスチック成形品からなる操作部９ａと、金属板材をＬ字状に折り曲げた連結腕９ｂとからなり、連続腕９ｂの一端を先のシャッター７にピン１６でかしめ固定する。
【００３８】
牽制アーム５は、両端が丸められた帯状のプレス金具からなり、その下端にスライドピン１３を固定し、上端をアームピン４で軸支する。アームピン４に外嵌する穴はピン径より僅かに大きく形成してあって、窓２を開放するとき、牽制アーム５が図２に示すようにアームピン４に対して傾動できるようにしている。さらに、窓２を閉じた状態においては、牽制アーム５を窓縦枠に沿って平行に姿勢復帰させるために、アームピン４の突端のフランジ部と牽制アーム５との間に圧縮コイル形のばね２１を介装している。このばね２１はキックばねを兼ねていて、牽制アーム５を閉じ姿勢へ復帰する向き（図７矢印参照）に付勢する。全開放時に牽制アーム５がぶらぶらするのを防ぐためである、スライドピン１３は、突端にフランジ部を有するローラ１３ａと、ローラ１３ａを軸支するサラビス状のピン１３ｂとからなり、ピン１３ｂを牽制アーム５にかしめ固定してローラ１３ａを遊転自在に軸支する。ローラ１３ａのフランジ部は先のガイド溝１２の溝幅より大径に形成し、ローラ軸部は同溝の溝幅より小さく設定する。牽制アーム５の傾動を許すためである。
【００３９】
ロック体８は、基部８ａの一端から下向きに係合爪２３を突設した逆Ｌ字状のプラスチック成形品からなり、基部８ａの上面に頭付きの嵌合軸２４を突設する。ロック体８はガイド枠６に対して開口面の側から差し込み係合して一体化する。そのために上側の取付脚片１１と、これに連続する枠端壁とにわたって、嵌合軸２４用の係合溝２５を通設している。
【００４０】
以上のように構成したステーは、常態においてシャッター７を下方スライドさせて、その蓋壁１５で出入口１４を閉じておく。この状態で窓２を閉じ位置から開き操作すると、スライドピン１３は出入口１４から屋外側へ出ようとするが、蓋壁１５に受け止められてしまう。そのため、窓２を開放するのに伴い、スライドピン１３はガイド溝１２に沿って上方スライドするしかなく、その上端において係合爪２３を弾性変形させながら乗り越えた後、係合爪２３で係合捕捉される。この状態で換気を行う。
【００４１】
窓２を係合爪２３の弾性に抗して室内側へ引き寄せ操作すると、スライドピン１３はガイド溝１２に沿って下方スライドするので、窓２を閉じ操作できる。窓２を全開放するときは、ノブ９を介してシャッター７を上方へスライド操作し、出入口１４を開放する。この状態で窓２を開き操作すると、スライドピン１３は支障なく出入口１４からガイド枠６外へ出るので、垂直に垂れ下がり、かつベース３の立壁部３ａ（図７参照）に受け止められた牽制アーム５を同行したままで、窓２を限界位置まで開放できる。全開放位置から窓２を閉じ操作すると、スライドピン１３は出入口１４を介してガイド溝１２の下端側へ入り込むので、この後シャッター７を下方スライドして出入口１４を蓋壁１５で閉じることにより、牽制アーム５の牽制作用を有効化できる。
【００４２】
窓２を閉じた状態において、その窓縦枠と窓横枠のそれぞれは、開口枠１に設けたシール１ａ・１ｂ（図２参照）で受け止められて気密性を保持する。この実施例においては、一方の窓縦枠とシール１ａとの接触部の間にノブ９の連結腕９ｂを位置させて、窓２を閉じた状態において、室内に臨む操作部９ａを上下スライドすることにより、シャッター７を開閉できるようにした。このように、窓２とシール１ａとの間に薄い金属板製の連結腕９ｂを配置する操作構造によれば、開口枠１に連結腕９ｂを通すための切り欠きや溝を形成する必要がないので、その分だけ施工の手間を省くことができるうえ、切り欠きや溝を設けることに伴う、開口枠１の強度低下を防止できる。気密性が損なわれることも避けられる。
【００４３】
（実施例２）
図８ないし図１０はステーに関する実施例２を示す。そこでは、ロック体８と一体にシャッターロック３０を設けて、窓２が換気開放された状態において、シャッター７をシャッターロック３０でスライド開放不能にロック保持できるようにした。
【００４４】
シャッターロック３０は、基部８ａから連出されるＶ字状の支点部３１と支点部３１からガイド溝１２に沿って下向きに突設されるロック腕３２とからなり、ロック腕３２の中途部にシャッター７の腕１８の先端を受け止める突起３３を突出する。図１０に示すように自由状態における腕１８は、緩やかなへ字状に折れ曲がっていて、その突起３３が腕１８のスライド領域に位置している。この状態におけるシャッター７は、自由に上下スライドできる。
【００４５】
しかし、図９に示すように、窓２を換気開放した状態においては、スライドピン１３にローラ１３ａの鍔部分がロック腕３２に接当して、ロック腕３２の全体を支点部３１を傾動支点にして押圧変形させる。そのため突起３３はガイド枠６の屋外側の側壁に接近して、腕１８のスライド領域内へ入り込む。従って、シャッター７を上方スライド操作しようとしても、腕１８の突端が突起３３で受け止められるので、いたずら等によってシャッター７がスライド開放されるのを阻止できる。なお、この実施例においては、ノブ９の連結腕９ｂの端部に連続して取付片９ｃを設けこれをシャッター７の内底部にピン１６でかしめ固定した。他は先の実施例を同じであるので同一符号を付してその説明を省略する。以下の実施例においても同様の扱いとする。
【００４６】
（実施例３）
図１１および図１２はステーに関する実施例３を示す。そこではシャッター７に錠３５を付加して、この錠３５を解錠しない限りは、シャッター７をスライド解放できないようにした。錠３５は、シャッター７と一体に整形したケース部３６と、ケース部３６で出退スライド自在に案内支持したロックボルト３７と、ロックボルト３７を出退操作するキー軸３８とからなる。キー軸３８はケース部３６で回転自在に支持されていて、その一端に鍵３９を差し込むためのキー溝４０を有し、他端にロックボルト３７を出退操作する偏心ピン４１が設けてある。このピン４１はロックボルト３７に設けた長穴４２と係合している。
【００４７】
図１１に示すように、ロックボルト３７はガイド枠６の屋内側の側壁に通設したロック穴４３と係合して、シャッター７がスライド解放されるのを阻止する。そのとき、シャッター７の蓋壁１５は出入口１４を閉じた状態になっている。従って、いたずらによってシャッター７がスライド解放される余地を皆無にできる。鍵３９は各ステーに共通しているので、窓２を一斉に全解放操作する際の手間を省略できる。
【００４８】
（実施例４）
図１３ないし図１６はステーに関する実施例４を示す。そこでは、シャッター７に第２ロック４５を設けて、蓋壁１５が出入口１４を開放する状態と、閉止する状態の各位置において、シャッター７がいたずら等によってスライド操作されるのを阻止できるようにした。図１６に示すように第２ロック４５は上下に長い板状のプラスチック成形品からなり、その上端にロック片４６を有し、上下方向中途部の下面に支点軸４７を有する。この支点軸４７をシャッター７で軸支し、さらに第２ロック４５の下端とシャッター７の前壁との間に圧縮コイル形のばね４８を配置することにより、第２ロック４５の全体をロック付勢する。このロック付勢状態において、第２ロック４５の下半側の腕部は、スライドピン１３のスライド領域内に突出している。また、ロック片４６はガイド枠６の室内側の側壁に通設したロック穴４９・５０のいずれか一方と係合している。従って、シャッター７は、蓋壁１５が出入口１４を開放する位置と、出入口１４を閉鎖した位置の各位置において、スライド不能にロック保持される。
【００４９】
上記の状態において、窓２を換気開放位置から閉じ操作し、あるいは全開放位置から閉じ操作すると、スライドピン１３が出入口１４と正対してガイド溝１２の閉じ端に位置する。このとき、スライドピン１３は第２ロック４５の下半側の腕部に接当して、第２ロック４５をばね４８の付勢力に抗してロック解除する向きに揺動操作する。つまり、窓２を閉じない限りは、シャッター７を上下いずれにも切り換え操作できない。従って、先のシャッターロック３０を備えているステーと同様に、換気開放時にシャッター７がいたずら操作されるのを防止できるのはもちろん、窓２が全開放された状態において、シャッター７がいたずら操作されて、その蓋壁１５が出入口１４を閉止する状態に切り換わるのを阻止できる。
【００５０】
シャッター７のいたずら操作をさらに確実に防止し、安全性を増すために、この実施例では、蓋壁１５が出入口１４を開放する状態と、出入口１４を閉止する状態との各位置において、錠３５を鎖錠できるようにした。そのために、図１５に示すようにガイド枠６の屋内側の側壁の上下に、先の各位置に対応するロック穴４３・４３を設けた。さらに、鍵３９用の差し込み穴を上下２個所に設けた。なお、この実施例における牽制アーム５は、その上端寄りに段部を設け、さらにベース３の構造を変更したが、いずれもサッシ構造の違いに対応するものであって、発明の主旨に差異はない。
【００５１】
換気開放時には、屋外側から手を差し込んで、ノブ９をスライド操作できる。錠３５が設けてあるシャッター７であっても、解錠を試ることができる。このような外部からのシャッター７の不正開放や、いたずらによるシャッター７の開放操作に対処するためにリセット機能を付加し、換気開放した窓２を閉じ操作するときの牽制アーム５およびスライドピン１３の動きを利用して、シャッター７を開放位置から閉じ位置へ復帰操作することができる。牽制アーム５の動きを利用したリセット構造を実施例５に、スライドピン１３の動きを利用したリセット構造を実施例６にそれぞれ示している。
【００５２】
（実施例５）
図１７ないし図１９にリセット機能を備えたステーの実施例５を示す。若干の構造の違いはあるが、ステーの基本構造は実施例１で説明したステーと同じである。異なるのは、牽制アーム５の揺動先端に爪片５２を設け、例えばいたずらで開放操作されたシャッター７を、爪片５２でノブ９の連結腕９ｂを介して閉じ位置へ復帰操作できるようにした点にある。具体的には、ガイド溝１２の中途部における溝中心線Ｐをノブ９の側へ偏寄させて、この溝偏寄部分において爪片５２の移行軌跡がノブ９の連結腕９ｂの開閉軌跡と重なるようにした。
【００５３】
図１７に爪片５２の先端部分の移行軌跡Ｈを二点鎖線で示している。この軌跡Ｈから理解できるように、シャッター７が上限まで全開放されているとき、窓２を換気位置から閉じ操作すると、爪片５２は溝偏寄部分においてノブ９側へ押し出され、その傾斜縁が連結腕９ｂに接当係合する。さらに窓２を閉じ操作すると、シャッター７は牽制アーム５の下降に連動して閉じ側へ強制的にスライド操作され、図１８に示すようにその蓋壁１５で出入口１４を塞ぐ。従って、換気開放時にシャッター７が不正に開放されたとしても、窓２を全開放操作することができない。なお、爪片５２は、シャッター７が出入口１４を完全に閉じるか、その直前において連結腕９ｂとの接当状態を解除する。従って、窓２を全閉操作した後であれば、シャッター７を屋内側からスライド操作して出入口１４を開放し、スライドピン１３の抜け出しを可能とし、窓２を全開放できる。
【００５４】
上記の実施例５では、ガイド溝１２の溝中心線Ｐをノブ９の側へ偏寄させて、連結腕９ｂに対する爪片５２の係合量を大きくしたがその必要はない。爪片５２の突出量を加減すると、ガイド溝１２を直線溝で形成した場合でも、シャッター７を支障なく復帰スライドできるからである。
【００５５】
（実施例６）
図２０ないし図２４はリセット構造に関する実施例６を示す。この実施例においては、シャッター７に受動片５４を設けておき、これをスライドピン１３で下降操作してシャッター７を閉じ位置へ復帰スライド操作できるようにした。
【００５６】
図２４に示すように受動片５４は横長角軸状のプラスチックブロックからなり、シャッター７の前後壁に設けたガイド凹部５５で出没自在に案内支持され、ガイド凹部５５の上壁と受動片５４の長手方向両端のばね受穴との間に配置した圧縮コイル形のばね５６で、待機位置へ向かって付勢してある。シャッター７の開放動作を利用して、受動片５４を待機位置から、ピン１３の移行軌跡を横切る受動位置へと変位操作するために、受動片５４とガイド枠６との間に可逆性を備えた切換機構５７を設ける。
【００５７】
切換機構５７は、スライドピン１３の移行方向に沿ってガイド枠６の内外側壁に設けた切換溝５８と、受動片５４に固定されて両端が切換溝５８で軸支してある切換ピン５９とからなる。切換溝５８はヘ字形の溝からなり、シャッター７が閉じ位置にあるときは、切換ピン５９をガイド枠６の取付面側において位置保持して、受動片５４を待機位置に位置させている。
【００５８】
このとき、スライドピン１３はシャッター７と主面壁との間を自由に上下スライドできる。しかし、シャッター７を開放操作すると、切換ピン５９がばね５６の付勢力に抗して切換溝５８で押し上げられる。その結果、受動片５４はスライドピン１３の移行軌跡を横切って受動位置に保持される。従って、図２１に示すように窓２を換気位置から閉じ操作すると、スライドピン１３が受動片５４と接当して、その状態のままでシャッター７を閉じ側へ同行移動させる。シャッター７が全閉状態に近付くと、図２３に示すように受動片５４は待機位置側へ戻されるので、以後にスライドピン１３が受動片５４と接当することはない。従って、窓２を全閉にし、シャッター７を開放操作すると、出入口１４を開放して、窓２を全開放操作できる。
【００５９】
（実施例７）
図２５ないし図２７はシャッターリセット構造に関する実施例７を示す。この実施例においては、シャッター７の蓋壁１５の内面に受動片６１を設けておき、これをスライドピン１３で下降操作してシャッター７を閉じ位置へスライド操作できるようにした。
【００６０】
図２６に示すように受動片６１は、部分円弧状の受面６２と傾斜案内面６３とを備えている山形の突起からなり、蓋壁１５と一体に形成する。受動片６１と対向する壁面には、受動片６１の突出寸法に等しい逃げ凹部６４を設ける。窓を換気位置から閉じ操作すると、スライドピン１３が受動片６１の受面６２と接当して、その状態のままでシャッター７を閉じ側へ同行移動させる。このとき、スライドピン１３が受面６２に接当するタイミングを遅くするほど、窓２と開口枠１の開放隙間を小さくでき、外部からシャッター７を不正開放する余地が無くなる。そのために、図２５に示すように、受動片６１を蓋壁１５の閉じ始端側に設けて、牽制アーム５のストローク端寄りにおいて、スライドピン１３が受動片６１と接当するようにした。
【００６１】
窓２を全開放する場合には、窓２を閉じた状態においてシャッター７を開放スライドして出入口１４を開放するが、このとき先の受動片６１はスライドピン１３の軸端のフランジ部と接当干渉してしまう。この接当干渉を避けるために、出入口１４と対向するガイド溝１２の溝内縁に凹部６５を設けている。つまり、受動片６１の突端がスライドピン１３と接当するとき、図２６に想像線で示すように、スライドピン１３を逃げ凹部６４側へ移動させて、シャッター７を支障なく開放できるようにしている。
【００６２】
上記の実施例以外に、シャッター７をばねで下降付勢しておき、ばねの付勢力に抗してシャッター７を上方スライドして出入口１４を開放保持した状態でのみ、窓２を全開放操作可能とすることができる。シャッター７は、上方スライドしたときその蓋壁１５が出入口１４を塞ぐように配置することができる。この場合には、シャッター７をガイド枠６の外面に配置してもよい。本発明のステーは、窓２の上下面と開口枠との間に配置して使用できる。また、窓２が滑り出し型の窓や回転窓型の窓である場合にも支障なく適用できる。なお、各実施例においては、出入口１４がガイド枠６の下端側に位置する取付状態を示したが、その逆の装着形態、つまりガイド枠６の上端側に出入口１４が位置する状態で使用できる。
【図面の簡単な説明】
【図１】換気開放時のステーの側面図である。
【図２】ステーの平面図である。
【図３】ステーの分解斜視図である。
【図４】ガイド枠の一部を破断した側面図である。
【図５】出入口を開放した状態のガイド枠の側面図である。
【図６】図５におけるＡ−Ａ線断面図である。
【図７】牽制アームの支持構造を示す側面図である。
【図８】図９におけるＢ−Ｂ線断面図である。
【図９】ステーに関する実施例２を示す一部破断側面図である。
【図１０】シャッターロックの自由状態時の姿勢を示す実施例２の側面図である。
【図１１】ステーに関する実施例３を示す一部破断側面図である。
【図１２】図１１におけるＣ−Ｃ線断面図である。
【図１３】ステーに関する実施例４を示す一部破断側面図である。
【図１４】実施例４において出入口を閉止した状態でのガイド枠の一部破断側面図である。
【図１５】実施例４のステーの正面図である。
【図１６】実施例４のシャッターの斜視図である。
【図１７】ステーに関する実施例５を示す側面図である。
【図１８】実施例５において爪片の動作を示すガイド枠要部の側面図である。
【図１９】図１８におけるＤ−Ｄ線断面図である。
【図２０】リセット機構に関する実施例６を示す縦断側面図である。
【図２１】図２０におけるＥ−Ｅ線断面図である。
【図２２】実施例６においてリセット時の受動片の状態を示す縦断側面図である。
【図２３】図２２におけるＦ−Ｆ線断面図である。
【図２４】実施例６においてシャットと受動片の関連構造を示す分解斜視図である。
【図２５】リセット機構に関する実施例７を示す側面図である。
【図２６】実施例７においてリセット時の受動片の状態を示す縦断側面図である。
【図２７】図２６におけるＧ−Ｇ線断面図である。
【符号の説明】
１  開口枠
２ 窓
５  牽制アーム
６  ガイド枠
７  シャッター
８  ロック体
１２  ガイド溝
１３  スライドピン
１４  出入口
１５  蓋壁
【図１】
0004220634.tif 000002
【図２】
0004220634.tif 000003
【図３】
0004220634.tif 000004
【図４】
0004220634.tif 000005
【図５】
0004220634.tif 000006
【図６】
0004220634.tif 000007
【図７】
0004220634.tif 000008
【図８】
0004220634.tif 000009
【図９】
0004220634.tif 000010
【図１０】
0004220634.tif 000011
【図１１】
0004220634.tif 000012
【図１２】
0004220634.tif 000013
【図１３】
0004220634.tif 000014
【図１４】
0004220634.tif 000015
【図１５】
0004220634.tif 000016
【図１６】
0004220634.tif 000017
【図１７】
0004220634.tif 000018
【図１８】
0004220634.tif 000019
【図１９】
0004220634.tif 000020
【図２０】
0004220634.tif 000021
【図２１】
0004220634.tif 000022
【図２２】
0004220634.tif 000023
【図２３】
0004220634.tif 000024
【図２４】
0004220634.tif 000025
【図２５】
0004220634.tif 000026
【図２６】
0004220634.tif 000027
【図２７】
0004220634.tif 000028